(57)【要約】 【課題】  製作コストの低減を図ることができるとともに、集光手段を規制されることなく調整し得る光ピックアップ装置を提供する。【解決手段】  ダンパワイヤ３９の長手方向他端部とレーザモジュール２２とを共通の中継基板２５に電気的かつ機械的に接続し、複数の中継基板および複数のフレキシブルケーブルなどを用いることなく光ピックアップ装置を実現する。【選択図】      図１
2006012326.tif 000002
【特許請求の範囲】
【請求項１】
記録媒体に対して、情報の記録、再生および消去の少なくともいずれか１つを行うための光ピックアップ装置であって、
光源と、
該光源から発せられる光を前記記録媒体に集光し、該記録媒体からの戻り光を受光部に導く光学系と、
前記光学系のうち前記光源からの光を前記記録媒体に集光するための集光手段を、前記記録媒体に対して、フォーカス方向およびトラッキング方向に移動駆動可能なアクチュエータと、
これら光源、光学系およびアクチュエータを支持するベースフレームとを有し、
前記アクチュエータには、該アクチュエータの少なくとも一部を前記ベースフレームに弾性支持し、かつ前記集光手段を移動駆動させるべく通電させ得るサスペンションワイヤが付設され、該サスペンションワイヤの一部と前記光源とは、共通の配線部材に電気的かつ機械的に接続されていることを特徴とする光ピックアップ装置。
【請求項２】
前記アクチュエータは防振部材をさらに備え、該防振部材は、前記サスペンションワイヤを部分的に保持して前記ベースフレームに対し前記アクチュエータが減衰特性を有するように構成されることを特徴とする請求項１に記載の光ピックアップ装置。
【請求項３】
前記サスペンションワイヤのうち前記防振部材と前記配線部材との間の部分は、屈曲形成されていることを特徴とする請求項２に記載の光ピックアップ装置。
【請求項４】
前記サスペンションワイヤは、前記防振部材に接着固定されていることを特徴とする請求項２または３に記載の光ピックアップ装置。
【請求項５】
前記サスペンションワイヤは、前記防振部材に圧入固定されていることを特徴とする請求項２または３に記載の光ピックアップ装置。
【請求項６】
前記アクチュエータは、前記ベースフレームに対し、前記集光手段の前記記録媒体に対するスキュを調整可能に支持されていることを特徴とする請求項１〜５のいずれか１つに記載の光ピックアップ装置。
【請求項７】
前記アクチュエータは、前記ベースフレームに対し、前記集光手段の前記記録媒体に対するスキュを調整した状態で接着固定されていることを特徴とする請求項１〜５のいずれか１つに記載の光ピックアップ装置。
【請求項８】
前記サスペンションワイヤのうち前記防振部材と前記配線部材との間の部分に、スキュ調整に伴うストレスを緩和するためのバッファを設けたことを特徴とする請求項６または７に記載の光ピックアップ装置。
【発明の詳細な説明】
【技術分野】
【０００１】
本発明は、光ピックアップ装置に関し、たとえばコンパクトディスクおよびデジタルバーサタイルディスクなどの記録媒体に対する情報の記録、再生、消去を行う光ピックアップ装置に関する。
本発明において、「略平行」は平行を含む。
【背景技術】
【０００２】
コンパクトディスク（略称ＣＤ：Compact Disk）およびデジタルバーサタイルディスク（略称ＤＶＤ：Digital Versatile Disk）などの記録媒体に対する情報の記録、再生、消去を行う光ピックアップ装置が実用に供されている（たとえば特許文献１参照）。図５は、従来技術に係る光ピックアップ装置の要部を示す断面図である。前記光ピックアップ装置は、ベースフレーム、アクチュエータ２、光源および受光源３、対物レンズ４を含む光学系、複数の中継基板５ａ，５ｂおよび複数のフレキシブルケーブル６ａ，６ｂを備えている。
【０００３】
前記アクチュエータ２に付設されるダンパワイヤ７（サスペンションワイヤ）は、ダンパホルダ８に部分的に保持されている。このダンパホルダ８は、サブフレーム９に固着されている。ダンパワイヤ７の一部分がダンパホルダ８に貫通状に保持された状態で切断されており、該ダンパワイヤ７の切断された部分は、第１の中継基板５ａにはんだ付けされている。一方、ベースフレーム１に固着される第２の中継基板５ｂに、光源および受光源３（レーザモジュール）がはんだ付けされている。これら第１および第２の中継基板５ａ，５ｂは、第１のフレキシブルケーブル６ａによって接続され、最終的に第２のフレキシブルケーブル６ｂで外部に引き出されている。
【０００４】
図６は、他の従来技術に係る光ピックアップ装置の斜視図である。この光ピックアップ装置においては、ダンパホルダ１０にレーザモジュール用取付部１１が形成されている。このレーザモジュール用取付部１１に、レーザモジュール１２が装着可能に構成されるとともに、ダンパワイヤ１３とこのレーザモジュール１２とが同一の中継基板１４に配線されている。
【０００５】
【特許文献１】特開平８−３３９５４６号公報
【発明の開示】
【発明が解決しようとする課題】
【０００６】
前述の従来技術に係る光ピックアップ装置では、複数の中継基板５ａ，５ｂが必要になるとともに、フレキシブルケーブル６ａの取り回しも複雑になる。このように部品点数が多くなり構造が複雑化するので、光ピックアップ装置の製作コストが高くなる。
【０００７】
他の従来技術に係る光ピックアップ装置では、一枚の中継基板１４で足りフレキシブルケーブルの取り回しも簡略化できるものの、対物レンズ１５の光軸調整をレーザモジュール１２と独立に行うことができない。しかもダンパワイヤ１３の延長上にレーザモジュール１２が配設されているので、光路がアクチュエータマグネットに遮られ、対物レンズ１５の可動範囲が著しく制限されるなどの問題がある。
【０００８】
本発明の目的は、製作コストの低減を図ることができるとともに、集光手段を規制されることなく調整し得る光ピックアップ装置を提供することである。
【課題を解決するための手段】
【０００９】
本発明は、記録媒体に対して、情報の記録、再生および消去の少なくともいずれか１つを行うための光ピックアップ装置であって、
光源と、
該光源から発せられる光を前記記録媒体に集光し、該記録媒体からの戻り光を受光部に導く光学系と、
前記光学系のうち前記光源からの光を前記記録媒体に集光するための集光手段を、前記記録媒体に対して、フォーカス方向およびトラッキング方向に移動駆動可能なアクチュエータと、
これら光源、光学系およびアクチュエータを支持するベースフレームとを有し、
前記アクチュエータには、該アクチュエータの少なくとも一部を前記ベースフレームに弾性支持し、かつ前記集光手段を移動駆動させるべく通電させ得るサスペンションワイヤが付設され、該サスペンションワイヤの一部と前記光源とは、共通の配線部材に電気的かつ機械的に接続されていることを特徴とする光ピックアップ装置である。
【００１０】
本発明に従えば、光ピックアップ装置は、記録媒体に対して、情報の記録、再生および消去の少なくともいずれか１つを行うためのものである。光学系は、光源から発せられる光を前記記録媒体に集光し、該記録媒体からの戻り光を受光部に導く。前記光学系のうち集光手段は、アクチュエータによってフォーカス方向およびトラッキング方向に移動駆動される。ベースフレームには、光源、光学系およびアクチュエータが支持されている。
【００１１】
前記アクチュエータに付設されるサスペンションワイヤは、このアクチュエータの少なくとも一部を前記ベースフレームに弾性支持し、かつ前記集光手段を移動駆動させるべく通電させ得る。これによって前記集光手段は、フォーカス方向およびトラッキング方向に移動駆動される。前記サスペンションワイヤの一部と前記光源とが共通の配線部材に電気的かつ機械的に接続されているので、従来技術のように複数の中継基板および複数のフレキシブルケーブルなどを用いることなく光ピックアップ装置を実現することができる。
【００１２】
また本発明は、前記アクチュエータは防振部材をさらに備え、該防振部材は、前記サスペンションワイヤを部分的に保持して前記ベースフレームに対し前記アクチュエータが減衰特性を有するように構成されることを特徴とする。
【００１３】
本発明に従えば、防振部材は、サスペンションワイヤを部分的に保持する。この防振部材によって、前記ベースフレームに対しアクチュエータは減衰特性を有する。つまり集光手段をフォーカス方向およびトラッキング方向に移動駆動させるとき、防振部材によって、アクチュエータを減衰させて集光手段を迅速に位置調整することが可能となる。
【００１４】
また本発明は、前記サスペンションワイヤのうち前記防振部材と前記配線部材との間の部分は、屈曲形成されていることを特徴とする。
【００１５】
本発明に従えば、サスペンションワイヤのうち前記防振部材と前記配線部材との間の部分は、屈曲形成されているので、サスペンションワイヤ自体に柔軟性をもたせることができる。
【００１６】
また本発明は、前記サスペンションワイヤは、前記防振部材に接着固定されていることを特徴とする。
【００１７】
本発明に従えば、サスペンションワイヤは防振部材に接着固定されているので、サスペンションワイヤが従来のものより延長されている場合であっても、そのサスペンションワイヤの延長部分の影響を受けることなくアクチュエータを安定して支持することができる。
【００１８】
また本発明は、前記サスペンションワイヤは、前記防振部材に圧入固定されていることを特徴とする。
【００１９】
本発明に従えば、サスペンションワイヤは防振部材に圧入固定されているので、サスペンションワイヤを接着固定する場合に比べて、接着に要する工数を削減することができる。
【００２０】
また本発明は、前記アクチュエータは、前記ベースフレームに対し、前記集光手段の前記記録媒体に対するスキュを調整可能に支持されていることを特徴とする。
【００２１】
本発明に従えば、アクチュエータは、ベースフレームに対し、集光手段の記録媒体に対するスキュを調整可能に支持されているので、集光手段のスキュを簡単に調整することができる。
【００２２】
また本発明は、前記アクチュエータは、前記ベースフレームに対し、前記集光手段の前記記録媒体に対するスキュを調整した状態で接着固定されていることを特徴とする。
【００２３】
本発明に従えば、アクチュエータは、ベースフレームに対し、集光手段の記録媒体に対するスキュを調整した状態で接着固定されているので、スキュを調整するための調整機構などを省略することが可能となる。
【００２４】
また本発明は、前記サスペンションワイヤのうち前記防振部材と前記配線部材との間の部分に、スキュ調整に伴うストレスを緩和するためのバッファを設けたことを特徴とする。
【００２５】
本発明に従えば、サスペンションワイヤのうち防振部材と配線部材との間の部分に、スキュ調整に伴って作用するストレスを緩和することができる。つまりサスペンションワイヤに作用する応力による影響を除くことが可能となる。
【発明の効果】
【００２６】
本発明によれば、前記アクチュエータに付設されるサスペンションワイヤは、このアクチュエータの少なくとも一部を前記ベースフレームに弾性支持し、かつ前記集光手段を移動駆動させるべく通電させ得る。これによって前記集光手段は、フォーカス方向およびトラッキング方向に移動駆動される。前記サスペンションワイヤの一部と前記光源とが共通の配線部材に電気的かつ機械的に接続されているので、従来技術のように複数の中継基板および複数のフレキシブルケーブルなどを用いることなく光ピックアップ装置を実現することができる。これによってはんだ付けなどの工数を削減することが可能となる。このように部品点数を少なくして、その構造を簡単化することができるうえ、工数削減を図ることができるので、光ピックアップ装置の製作コストの低減を図ることができる。しかも集光手段を、光源によって規制されることなくスキュ調整することができる。
【００２７】
また本発明によれば、防振部材は、サスペンションワイヤを部分的に保持する。この防振部材によって、前記ベースフレームに対しアクチュエータは減衰特性を有する。つまり集光手段をフォーカス方向およびトラッキング方向に移動駆動させるとき、防振部材によって、アクチュエータを減衰させて集光手段を迅速に位置調整することが可能となる。
【００２８】
また本発明によれば、サスペンションワイヤのうち前記防振部材と前記配線部材との間の部分は、屈曲形成されているので、サスペンションワイヤ自体に柔軟性をもたせることができる。これによって集光手段を容易に移動駆動させることができるうえ、容易に位置調整することができる。
【００２９】
また本発明によれば、サスペンションワイヤは防振部材に接着固定されているので、サスペンションワイヤが従来のものより延長されている場合であっても、そのサスペンションワイヤの延長部分の影響を受けることなくアクチュエータを安定して支持することができる。
【００３０】
また本発明によれば、サスペンションワイヤは防振部材に圧入固定されているので、サスペンションワイヤを接着固定する場合に比べて、接着に要する工数を削減することができる。しかも接着剤自体も不要となる。これによって光ピックアップ装置の製作コストを一層低減することができる。
【００３１】
また本発明によれば、アクチュエータは、ベースフレームに対し、集光手段の記録媒体に対するスキュを調整可能に支持されているので、集光手段のスキュを簡単に調整することができる。
【００３２】
また本発明によれば、アクチュエータは、ベースフレームに対し、集光手段の記録媒体に対するスキュを調整した状態で接着固定されているので、スキュを調整するための調整機構などを省略することが可能となる。これによって光ピックアップ装置の構造をより簡単化することができる。
【００３３】
また本発明によれば、サスペンションワイヤのうち防振部材と配線部材との間の部分に、スキュ調整に伴って作用するストレスを緩和することができる。つまりサスペンションワイヤに作用する応力による影響を除くことが可能となる。
【発明を実施するための最良の形態】
【００３４】
図１は、本発明の第１実施形態に係る光ピックアップ装置２０を、集光方向向きの軸線を含む仮想平面で切断して見た断面図である。本実施形態は、たとえばコンパクトディスク（略称ＣＤ：Compact Disk）またはデジタルバーサタイルディスク（略称ＤＶＤ：
Digital Versatile Disk）などの記録媒体に対する情報の記録、再生および消去の少なくともいずれか１つを行う光ピックアップ装置の一例を示す。第１実施形態に係る光ピックアップ装置２０を、第１ピックアップ２０という場合がある。
【００３５】
第１ピックアップ２０は、主に、ベースフレーム２１、光源および受光部としてのレーザモジュール２２、光学系２３、アクチュエータ２４、中継基板２５、メイン基板２６およびフレキシブルケーブル２７を有する。ベースフレーム２１には、これらレーザモジュール２２、光学系２３、アクチュエータ２４、中継基板２５、メイン基板２６およびフレキシブルケーブル２７が搭載つまり支持されている。第１ピックアップ２０は、所定位置に支持された記録媒体の半径方向に沿って移動可能に支持されている。前記半径方向をＹ方向、第１ピックアップ２０の高さ方向をＺ方向、Ｙ方向およびＺ方向に直交する方向をＸ方向と定義する。
【００３６】
ベースフレーム２１のうちＸ方向両端部には、この第１ピックアップ２０を前記半径方向つまりＹ方向に沿って移動させるためのガイド支持部２８，２９が形成されている。ベースフレーム２１には、アクチュエータ２４を収容し得る凹所２１ａが形成されている。配線部材としての前記中継基板２５には、レーザモジュール２２が電気的かつ機械的に接続、換言すれば、はんだ付けされており、Ｘ方向外方に臨むベースフレーム２１の一側壁部２１ｂに、この中継基板２５が固着されるとともに、前記ベースフレーム２１の一側壁内部に、レーザモジュール２２が格納されている。
【００３７】
光学系２３は、集光手段である対物レンズ３０と、立上げミラー３１とを有する。立上げミラー３１は、レーザモジュール２２から発せられる光を対物レンズ３０に導くように配設されている。つまりベースフレーム２１のうち凹所２１ａを成す底部３２に、立上げミラー３１が固着されている。対物レンズ３０は、立上げミラー３１を経由した光を、所定位置に支持された記録媒体に集光するようになっている。
【００３８】
前記アクチュエータ２４は、対物レンズ３０を記録媒体に対してフォーカス方向およびトラッキング方向に移動駆動可能であり、主に、サブフレーム３３、対物レンズホルダ３４、フォーカスコイル３５、トラッキングコイル３６、アクチュエータマグネット３７、ヨーク３８、ダンパワイヤ３９およびダンパホルダ４０を備えている。前記ダンパワイヤ３９は、サスペンションワイヤと同義である。前記ベースフレーム２１にサブフレーム３３が固着され、このサブフレーム３３に、アクチュエータマグネット３７、ヨーク３８およびダンパホルダ４０が一体に設けられている。サブフレーム３３の底部には、前記立上げミラー３１からの光を対物レンズ３０に導くための貫通孔が形成されている。
【００３９】
対物レンズホルダ３４には、対物レンズ３０、フォーカスコイル３５およびトラッキングコイル３６が保持されている。対物レンズホルダ３４を、単に、レンズホルダ３４という場合もある。このレンズホルダ３４の台座に対物レンズ３０が装着され、たとえば対物レンズ３０の少なくとも一部は、ベースフレーム２１よりもＺ方向にやや突出するように配設される。フォーカスコイル３５は、フォーカスエラー信号を生成するためのコイルであって、レンズホルダ３４のＺ方向中間付近の胴部まわりに巻装されている。レンズホルダ３４の側壁部に付設される端子板には、前記フォーカスコイル３５の一端部および他端部が巻回されからげ処理されている。一対のトラッキングコイル３６は、トラッキングエラー信号を生成するためのコイルであって、アクチュエータマグネット３７に臨むレンズホルダ３４の側壁部にそれぞれ設けられている。これら一対のトラッキングコイル３６は、対物レンズ３０の光軸を含む仮想平面に対し、対象となる位置に配設されている。レンズホルダ３４に付設の端子板には、各トラッキングコイル３６の一端部および他端部がからげ処理されている。
【００４０】
レンズホルダ３４と、防振部材であるダンパホルダ４０と、ベースフレーム３３の一側壁部とにわたって複数本のダンパワイヤ３９が設けられている。これらダンパワイヤ３９は、レンズホルダ３４をベースフレーム２１に弾性支持し、かつ対物レンズ３０を移動駆動させるべく通電させ得る。各ダンパワイヤ３９はＸ方向に略平行に配設されるうえ、各ダンパワイヤ３９の長手方向一端部は、レンズホルダ３４に付設の端子板付近部に接合される。しかも各ダンパワイヤ３９の長手方向一端部は、端子板にはんだ付けされている。
【００４１】
各ダンパワイヤ３９は、前記ダンパホルダ４０を貫通して延長されている。つまり各ダンパワイヤ３９の長手方向中間付近部は、ダンパホルダ４０に接着固定される。このダンパホルダ４０は、各ダンパワイヤ３９を部分的に保持してベースフレーム２１に対しレンズホルダ３４が減衰特性を有するように構成される。しかも各ダンパワイヤ３９の長手方向他端部は、前記中継基板２５に電気的かつ機械的に接続されている。換言すれば、各ダンパワイヤ３９の長手方向他端部は、中継基板２５を貫通した状態で、この中継基板２５にはんだ付けされている。ベースフレーム２１のうち、外方に臨みかつ中継基板２５に近接する底壁部には、メイン基板２６が固着されている。このメイン基板２６と中継基板２５とは、電気的かつ機械的に接続されている。メイン基板２６には、フレキシブルケーブル２７がたとえばビスなどの締結具を用いて固着されるとともに、はんだ付けされている。
【００４２】
以上説明した第１ピックアップ２０によれば、アクチュエータ２４に付設されるダンパワイヤ３９は、レンズホルダ３４をベースフレーム２１に弾性支持し、かつ対物レンズ３０を移動駆動させるべく通電させ得る。これによって前記対物レンズ３０は、フォーカス方向およびトラッキング方向に移動駆動される。前記ダンパワイヤ３９の長手方向他端部とレーザモジュール２２とが共通の中継基板２５に電気的かつ機械的に接続されているので、従来技術のように複数の中継基板および複数のフレキシブルケーブルなどを用いることなく光ピックアップ装置を実現することができる。
【００４３】
これによってはんだ付けなどの工数を削減することが可能となる。このように部品点数を少なくして、その構造を簡単化することができるうえ、工数削減を図ることができるので、光ピックアップ装置の製作コストの低減を図ることができる。しかも対物レンズ３０を、レーザモジュール２２によって規制されることなくスキュ調整することができる。換言すれば、第１ピックアップ２０のアクチュエータ２４は、ベースフレーム２１に対し、対物レンズ３０の記録媒体に対するスキュを調整可能に支持されている。それ故、光ピックアップ装置の汎用性を高くすることが可能となる。
【００４４】
また第１ピックアップ２０によれば、防振部材であるダンパホルダ４０は、ダンパワイヤ３９を部分的に保持する。このダンパホルダ４０によって、ベースフレーム２１に対しアクチュエータ２４は減衰特性を有する。つまり対物レンズ３０をフォーカス方向およびトラッキング方向に移動駆動させるとき、ダンパホルダ４０によって、アクチュエータ２４を減衰させて対物レンズ３０を迅速に位置調整することが可能となる。ダンパワイヤ３９はダンパホルダ４０に接着固定されているので、ダンパワイヤ３９が従来のものより延長されている場合であっても、そのダンパワイヤ３９の延長部分の影響を受けることなくアクチュエータ２４を安定して支持することができる。
【００４５】
図２は、本発明の第２実施形態に係る光ピックアップ装置２０Ａを、集光方向向きの軸線を含む仮想平面で切断して見た断面図である。第２実施形態に係る光ピックアップ装置２０Ａを、第２ピックアップ２０Ａという場合がある。ただし第１実施形態と同一の部材には同一の符号を付し、その詳細な説明は省略する。第２ピックアップ２０Ａは、主に、ベースフレーム２１、レーザモジュール２２、光学系２３、アクチュエータ２４、メイン基板２６、中継基板２５Ａおよびフレキシブルケーブル２７を有する。ベースフレーム２１には、これらレーザモジュール２２、光学系２３、アクチュエータ２４、メイン基板２６、中継基板２５Ａおよびフレキシブルケーブル２７が搭載されている。ベースフレーム２１の一側壁内部には、レーザモジュール２２が格納されている。ベースフレーム２１のうち、外方に臨みかつレーザモジュール２２に近接する底壁部には、メイン基板２６が固着されている。前記レーザモジュール２２の図示外の端子は、共通の配線部材である中継基板２５Ａおよびメイン基板２６に電気的かつ機械的に接続されている。
【００４６】
レンズホルダ３４と、防振部材であるダンパホルダ４０と、ベースフレーム２１の底壁部とにわたって複数本のダンパワイヤ４１が設けられている。各ダンパワイヤ４１は、Ｘ方向に略平行に配設されるＸ方向ワイヤ部４１ａと、屈曲部４１ｂと、Ｚ方向に略平行に配設されるＺ方向ワイヤ部４１ｃとを有する。つまり各ダンパワイヤ４１において、Ｘ方向ワイヤ部４１ａは、レンズホルダ３４に付設の端子板からダンパホルダ４０を貫通して所定小距離延長された部分にわたってＸ方向に略平行に形成されている。屈曲部４１ｂは、各ダンパワイヤ４１のうちダンパホルダ４０とメイン基板２６との間の部分であって、Ｘ方向ワイヤ部４１ａの先端部と、Ｚ方向ワイヤ部４１ｃの基端部との間で約９０度に屈曲形成された部分である。Ｚ方向ワイヤ部４１ｃは、その基端部からＺ方向に延びてベースフレーム２１の底壁部およびメイン基板２６を貫通した状態で、このＺ方向ワイヤ部４１ｃの先端部がメイン基板２６にはんだ付けされている。
【００４７】
以上説明した第２ピックアップ２０Ａによれば、特にダンパワイヤ４１のうちダンパホルダ４０とメイン基板２６との間の部分が屈曲形成されているので、ダンパワイヤ４１自体に柔軟性をもたせることができる。これによって対物レンズ３０を、フレキシブルケーブルを用いることなく容易に移動駆動させることができるうえ、容易に位置調整することができる。換言すれば、ダンパワイヤ４１の屈曲部４１ｂを、フレキシブルケーブルの柔軟性または可撓性の代わりに供することが可能となる。またレーザモジュール２２の図示外の端子が、共通の配線部材である中継基板２５Ａおよびメイン基板２６に電気的かつ機械的に接続されているうえ、Ｚ方向ワイヤ部４１ｃの先端部が前記メイン基板２６にはんだ付けされている。それ故、第１ピックアップ２０と同様の効果を奏する。
【００４８】
図３は、本発明の第３実施形態に係る光ピックアップ装置２０Ｂを、集光方向向きの軸線を含む仮想平面で切断して見た断面図である。第３実施形態に係る光ピックアップ装置２０Ｂを、第３ピックアップ２０Ｂという場合がある。ただし第１実施形態と同一の部材には同一の符号を付し、その詳細な説明は省略する。第３ピックアップ２０Ｂにおいては、各ダンパワイヤ４２のうちダンパホルダ４０と中継基板２５との間の部分に、対物レンズ３０のスキュ調整に伴うストレスを緩和するためのバッファ４３が設けられている。つまりこのバッファ４３によって、ダンパワイヤ４２に作用する応力による影響を除くことが可能となる。その他第１ピックアップ２０と同様の効果を奏する。
【００４９】
図４は、本発明の第４実施形態に係る光ピックアップ装置２０Ｃを、集光方向向きの軸線を含む仮想平面で切断して見た断面図である。第４実施形態に係る光ピックアップ装置２０Ｃを、第４ピックアップ２０Ｃという場合がある。ただし第１実施形態と同一の部材には同一の符号を付し、その詳細な説明は省略する。第４ピックアップ２０Ｃは、主に、ベースフレーム４４、レーザモジュール２２、光学系２３、アクチュエータ２４、中継基板２５、メイン基板２６およびフレキシブルケーブル２７を有する。配線部材としての前記中継基板２５には、レーザモジュール２２がはんだ付けされている。Ｘ方向外方に臨むベースフレーム４４の一側壁部に、この中継基板２５が固着されるとともに、前記ベースフレーム４４の一側壁内部のうちＺ方向中間付近に、レーザモジュール２２が格納されている。光学系２３のうち立上げミラー３１は、ベースフレーム４４の底部に、嵩上げされた状態でかつレンズホルダ３４の内壁側に臨む位置に固着されている。つまり立上げミラー３１は、レーザモジュール２２のＺ方向位置に応じて、第４ピックアップ２０Ｃの高さ方向略中間付近に配設される。
【００５０】
前記アクチュエータ２４は、主に、サブフレーム３３、レンズホルダ３４、フォーカスコイル３５、トラッキングコイル３６、アクチュエータマグネット３７、ヨーク３８、ダンパワイヤ３９およびダンパホルダ４０を備えている。これらのうち、前記立上げミラー３１とレーザモジュール２２との間に配設されるレンズホルダ３４の一側壁部、アクチュエータマグネット３７、ヨーク３８およびダンパホルダ４０には、光路を確保するための貫通孔３４ａ，３７ａ，３８ａ，４０ａがそれぞれ形成されている。つまり立上げミラー３１、レーザモジュール２２間の光路を確保すべく、換言すれば光路を遮断しないように、レンズホルダ３４の一側壁部、アクチュエータマグネット３７、ヨーク３８およびダンパホルダ４０に、Ｘ方向に貫通する貫通孔３４ａ，３７ａ，３８ａ，４０ａがそれぞれ形成されている。
【００５１】
以上説明した第４ピックアップ２０Ｃによれば、第１ピックアップ２０と同様の効果を奏し、かつ第１ピックアップ２０よりもさらなる薄形化を図ることができる。すなわちベースフレーム４４に対しレーザモジュール２２および立上げミラー３１の配設位置を変えるとともに、これら立上げミラー３１、レーザモジュール２２間の光路を確保するようにその他の部品を構成したので、ベースフレーム４４の薄形化だけでなく第４ピックアップ２０Ｃのさらなる薄形化を実現することができる。
【００５２】
本実施の形態においては、各ダンパワイヤはダンパホルダに接着固定されるが、必ずしもこの形態に限定されるものではない。たとえば各ダンパワイヤを、ダンパホルダに圧入固定することも可能である。この場合には、ダンパワイヤを接着固定する場合に比べて、接着に要する工数を削減することができるだけでなく、接着剤自体も不要となる。これによって光ピックアップ装置の製作コストを一層低減することができる。
【００５３】
本実施の形態においては、アクチュエータは、ベースフレームに対し、対物レンズのスキュを調整可能に支持されているが、必ずしもこの形態に限定されるものではない。たとえばアクチュエータは、ベースフレームに対し、対物レンズのスキュを調整した状態で接着固定された構造にしてもよい。この場合には、スキュを調整するための調整機構などを省略することが可能となる。これによって光ピックアップ装置の構造をより簡単化することができる。第２ピックアップにおいて、Ｘ方向ワイヤ部の先端部と、Ｚ方向ワイヤ部の基端部との間の屈曲角度は、必ずしも９０度に限定されるものではない。
【図面の簡単な説明】
【００５４】
【図１】本発明の第１実施形態に係る光ピックアップ装置２０を、集光方向向きの軸線を含む仮想平面で切断して見た断面図である。
【図２】本発明の第２実施形態に係る光ピックアップ装置２０Ａを、集光方向向きの軸線を含む仮想平面で切断して見た断面図である。
【図３】本発明の第３実施形態に係る光ピックアップ装置２０Ｂを、集光方向向きの軸線を含む仮想平面で切断して見た断面図である。
【図４】本発明の第４実施形態に係る光ピックアップ装置２０Ｃを、集光方向向きの軸線を含む仮想平面で切断して見た断面図である。
【図５】従来技術に係る光ピックアップ装置の要部を示す断面図である。
【図６】他の従来技術に係る光ピックアップ装置の斜視図である。
【符号の説明】
【００５５】
２０  第１ピックアップ
２１  ベースフレーム
２２  レーザモジュール
２３  光学系
２４  アクチュエータ
２５  中継基板
２６  メイン基板
３０  対物レンズ
３９，４１  ダンパワイヤ
４０  ダンパホルダ
４１ｂ  屈曲部
４３  バッファ
【図１】
2006012326.tif 000003
【図２】
2006012326.tif 000004
【図３】
2006012326.tif 000005
【図４】
2006012326.tif 000006
【図５】
2006012326.tif 000007
【図６】
2006012326.tif 000008